(57)【要約】      （修正有）【課題】地震でも倒壊せずしっかりと構造体が保持される墓構造体を提供する。【解決手段】基礎となる下台１上に上下方向に下から順に中台２、上台３、スリン４、棹石５を積み重ねて墓構造体を構成する。さらに、中台２、上台３、スリン４に貫通穴を形成するとともに棹石５には貫通しない挿入孔を形成し、上下方向に連通させてアンカーボルトを嵌挿させる。そして、アンカーボルトに対してナットと埋め込み式ナットとを協働させて中台２、上台３、スリン４、棹石５を上下方向から締め付けて固定する。【選択図】図１
0003164473.tif 000002
【実用新案登録請求の範囲】
【請求項１】
上下方向に複数の石材を積み重ねて構築され、最下部に配置された前記石材の下方位置に空間が形成された墓構造体において、
最上部に配置された前記石材を除く前記複数の石材にはそれぞれ上下方向に連通する貫通孔を形成するとともに、最上部に配置された前記石材には上方に連通せず、下方にのみ開口する非貫通孔を形成し、すべての前記貫通孔及び非貫通孔を一直線状となるように配置し、前記貫通孔及び非貫通孔内に長尺の連結部材を嵌挿させ、前記空間方向に脱落しないように固定したことを特徴とする墓構造体。
【請求項２】
少なくとも前記連結部材の上端寄りには第１の雄ネジ部が形成され、同第１の雄ネジ部は前記最上部の前記石材の前記非貫通孔内に配置された雌ネジ部材に螺合されていることを特徴とする請求項１に記載の墓構造体。
【請求項３】
少なくとも前記連結部材の下端寄りには第２の雄ネジ部が形成され、、同第２の雄ネジ部の下端側には前記第１の雄ネジ部が前記雌ネジ部材に螺合された状態で前記空間方向に露出され、前記第２の雄ネジ部に対してナット部材を螺合させ、前記連結部材に対する前記ナット部材と前記雌ネジ部材の締結作用によって複数の前記石材を固定するようにしたことを特徴とする請求項２に記載の墓構造体。
【考案の詳細な説明】
【技術分野】
【０００１】
本考案は石材を積載して構築される墓構造体に関するものである。
【背景技術】
【０００２】
我が国の墓では通常、複数の石材を順に積み上げて墓構造体を構築するようにしている。墓構造体に使用される石材は一般には単に積み上げるだけか、せいぜい下部の石材の凹部に上部の石材を嵌めこむくらいであった。
【考案の概要】
【考案が解決しようとする課題】
【０００３】
そのため、地震の揺れ等の外部要因で石材が倒壊したり、上下の石材の位置がずれたりしてしまうことがあった。
本考案は上記課題を解決するためのものである。その目的は地震でも倒壊せずしっかりと構造体が保持される墓構造体を提供することにある。
【課題を解決するための手段】
【０００４】
上記課題を解決するために、請求項１に記載の考案では、上下方向に複数の石材を積み重ねて構築され、最下部に配置された前記石材の下方位置に空間が形成された墓構造体において、最上部に配置された前記石材を除く前記複数の石材にはそれぞれ上下方向に連通する貫通孔を形成するとともに、最上部に配置された前記石材には上方に連通せず、下方にのみ開口する非貫通孔を形成し、すべての前記貫通孔及び非貫通孔を一直線状となるように配置し、前記貫通孔及び非貫通孔内に長尺の連結部材を嵌挿させ、前記空間方向に脱落しないように固定したことをその要旨とする。
請求項２に記載の考案では請求項１の考案の構成に加え、少なくとも前記連結部材の上端寄りには第１の雄ネジ部が形成され、同第１の雄ネジ部は前記最上部の前記石材の前記非貫通孔内に配置された雌ネジ部材に螺合されていることをその要旨とする。
請求項３に記載の考案では請求項２の考案の構成に加え、少なくとも前記連結部材の下端寄りには第２の雄ネジ部が形成され、、同第２の雄ネジ部の下端側には前記第１の雄ネジ部が前記雌ネジ部材に螺合された状態で前記空間方向に露出され、前記第２の雄ネジ部に対してナット部材を螺合させ、前記連結部材に対する前記ナット部材と前記雌ネジ部材の締結作用によって複数の前記石材を固定するようにしたことをその要旨とする。
【考案の効果】
【０００５】
以上のように構成することで上記各請求項の考案では、地震の揺れ等の外部要因が発生しても墓構造体を構成する石材が倒壊したり、上下の石材の位置がずれたりする不具合が生じることがない。
【図面の簡単な説明】
【０００６】
【図１】本考案の一実施の形態の墓構造体の斜視図。
【図２】同じ墓構造体の分解斜視図。
【図３】（ａ）〜（ｃ）は同じ墓構造体の構築手順を説明する概略図。
【考案を実施するための形態】
【０００７】
以下、本考案の墓構造体を具体化した実施の形態について図面に基づいて説明する。
図１及び図２に示すように、本実施の形態の一例としての墓構造体は基礎となる４つの直方体形状の石材１ａから構成された下台１の上に、本発明の石材としての中台２、上台３、スリン４、棹石５が順に積み重ねられて構築されている。下台１上であってその正面位置には香炉６及び花立７が配設され、香炉６の後方であって中台２上には水鉢８が配設されている。
下台１は隣接する石材１ａ同士が固定金具１０によって連結される補強構造を備えている（図２では一か所の固定金具１０のみを図示）。下台１は平面視において「ロ」の字状に包囲された空間Ｓを備え、中台２が空間Ｓを上方から覆うように載置されている。中台２は平面視において方形の外形の石材であって、その下面には前面から内部に向かって延びる骨壷の入り口となる導入通路１１が形成されている。中台２の中央位置には上下方向に連通する第１の貫通孔１２が形成されている。中台２は下台１に対して固定金具１０によって固定されている。中台２の上には上台３が載置されている。上台３は平面視において中台２よりも一回り小さな方形の外形の直方体の外観とされている。上台３の中央位置には上下方向に連通する第２の貫通孔１３が形成されている。上台３の上にはスリン４が載置されている。スリン４は平面視において上台３よりも若干大きな板状石材である。スリン４の中央位置には上下方向に連通する第３の貫通孔１４が形成されている。スリン４の上には棹石５が載置されている。棹石５は上下に長い直方体形状の石材であって、下部中央位置から上方に向かって非貫通孔としての挿入孔１５が形成されている。挿入孔１５の奥位置、つまり上部位置には雌ネジ部材としての埋め込み式ナット１９が配設されている。
【０００８】
中台２、上台３、スリン４、棹石５の各貫通孔１２、１３、１４及び挿入孔１５にはアンカーボルト１７が嵌挿されている。図２及び図３に示すように、アンカーボルト１７の外周には雄ネジ部１８が形成されている。アンカーボルト１７の上部の雄ネジ部１８が棹石５内の埋め込み式ナット１９に螺合されており、その状態でアンカーボルト１７の下部は中台２の裏面（つまり導入通路１１の天井面）に露出される関係である。アンカーボルト１７の下部はワッシャ２０を介して２つのナット２１が装着され、ナット２１はアンカーボルト１７の軸方向に沿って移動して、埋め込み式ナット１９と協働して中台２、上台３、スリン４、棹石５を上下方向から締め付けて固定している。
【０００９】
次に、このように構成される墓構造体の代表的な構築手順について説明する。もちろ、この手順に限定されるものではない。
図３（ａ）に示すように、下台１の上に中台２を設置し、この段階で上方からアンカーボルト１７を貫通孔１２に嵌挿させる。そして、上台３及びスリン４をそれぞれの貫通孔１３、１４をアンカーボルト１７に挿通されるように順に設置していく。もちろんアンカーボルト１７より先に上台３やスリン４を設置してもよいが、ここでは後から設置するものとする。アンカーボルト１７は下方側で保持されていないためこの段階では地上に下端が接した状態である。スリン４が設置された状態では上端は突出しないような長さの関係となる。ここで、図３（ｂ）のように棹石５をスリン４上に仮置きし、横方向にずらしながら挿入孔１５が第３の貫通孔１４と照合する位置（つまり、正しい配置位置）に移動させるようにする。そして、作業者は中台２の導入通路１１から手を入れてアンカーボルト１７を上動させながら回動してその先端側を埋め込み式ナット１９に螺合させる。その後、アンカーボルト１７の下端にワッシャ２０及びナット２１を取り付けるようにする（図３（ｃ）の状態）。
【００１０】
このような構成の墓構造体は中台２、上台３、スリン４、棹石５がアンカーボルト１７とナット２１及び埋め込み式ナット１９によって連結され、一体化してしっかりと固定されるため、地震等の地震の揺れ等の外部要因が発生しても倒壊したり、個々の石材が横ずれすることがない。また、中台２は下台１に固定されるため、アンカーボルト１７で連結された全体が下台１に対してもしっかり固定されることとなる。
【００１１】
上記実施の形態は、以下のように具体化されてもよい。
・墓構造体の形状、石材の数等は上記に限定されるものではない。
・アンカーボルト１７以外の長尺の連結部材によって石材を連結するようにしてもよい。
その他、本考案の趣旨を逸脱しない範囲において変更した態様で実施することは自由である。
【符号の説明】
【００１２】
２…石材としての中台、３…石材としての上台、４…石材としてのスリン、５…石材としての棹石、１７…長尺の連結部材としてのアンカーボルト。
【図１】
0003164473.tif 000003
【図２】
0003164473.tif 000004
【図３】
0003164473.tif 000005